【手続補正書】
【提出日】平成24年11月6日(2012.11.6)
【手続補正１】
【補正対象書類名】特許請求の範囲
【補正対象項目名】全文
【補正方法】変更
【補正の内容】
【特許請求の範囲】
【請求項１】
コンテンツデータに関連付けられた所定のメタデータを利用して、コンテンツの時間的な位置ごとに当該コンテンツの視聴状況を表した指標である視聴パラメータを算出する視聴パラメータ算出部と、
前記視聴パラメータ算出部が算出した前記視聴パラメータに基づいて、前記コンテンツの再生を開始する時間的な位置を決定する再生位置決定部と、
前記再生位置決定部が決定した前記時間的な位置に対応する部分から、前記コンテンツデータを外部に設けられた装置に配信するコンテンツデータ配信部と、
を備える、コンテンツ提供サーバ。
【請求項２】
前記視聴パラメータ算出部は、所定のタイミングで前記視聴パラメータを更新し、
前記再生位置決定部は、更新後の前記視聴パラメータを利用して、前記コンテンツの再生を開始する時間的な位置を再決定する、請求項１に記載のコンテンツ提供サーバ。
【請求項３】
前記再生位置決定部は、前記視聴パラメータにおいて所定の条件を満たした時間的な位置を、前記コンテンツの再生を開始する時間的な位置として決定する、請求項２に記載のコンテンツ提供サーバ。
【請求項４】
前記再生位置決定部は、前記視聴パラメータの最大値に対応する時間的な位置の近傍を、前記コンテンツの再生を開始する時間的な位置として決定する、請求項３に記載のコンテンツ提供サーバ。
【請求項５】
前記視聴パラメータは、前記所定のメタデータを正規化した値および当該正規化した値の時間変化量の少なくとも何れかを利用して算出される、請求項１に記載のコンテンツ提供サーバ。
【請求項６】
前記所定のメタデータは、前記コンテンツの視聴率、前記コンテンツの視聴履歴、前記コンテンツに対する視聴者のフィードバック情報、および、前記視聴者の嗜好情報の少なくとも何れかを含む、請求項１に記載のコンテンツ提供サーバ。
【請求項７】
前記コンテンツ提供サーバは、前記コンテンツデータに関連付けられた前記所定のメタデータに関する情報を格納する記憶部を更に備え、
前記視聴パラメータ算出部は、前記記憶部から取得した前記所定のメタデータに関する情報に基づいて、前記視聴パラメータを算出する、請求項１に記載のコンテンツ提供サーバ。
【請求項８】
前記コンテンツ提供サーバは、前記外部に設けられた装置から前記所定のメタデータを取得するメタデータ取得部を更に備え、
前記視聴パラメータ算出部は、前記メタデータ取得部が取得した前記所定のメタデータを利用して、前記視聴パラメータを算出する、請求項７に記載のコンテンツ提供サーバ。
【請求項９】
所定のメタデータが関連付けられたコンテンツデータを取得するコンテンツデータ取得部と、
前記所定のメタデータを利用して、コンテンツの時間的な位置ごとに当該コンテンツの視聴状況を表した指標である視聴パラメータを算出する視聴パラメータ算出部と、
前記視聴パラメータ算出部が算出した前記視聴パラメータに基づいて、前記コンテンツの再生を開始する時間的な位置を決定する再生位置決定部と、
前記再生位置決定部が決定した前記時間的な位置から、前記コンテンツデータ取得部が取得した前記コンテンツデータの再生を開始するコンテンツ再生部と、
を備える、コンテンツ再生装置。
【請求項１０】
前記視聴パラメータ算出部は、所定のタイミングで前記視聴パラメータを更新し、
前記再生位置決定部は、更新後の前記視聴パラメータを利用して、前記コンテンツの再生を開始する時間的な位置を再決定する、請求項９に記載のコンテンツ再生装置。
【請求項１１】
前記再生位置決定部は、前記視聴パラメータにおいて所定の条件を満たした時間的な位置を、前記コンテンツの再生を開始する時間的な位置として決定する、請求項１０に記載のコンテンツ再生装置。
【請求項１２】
前記再生位置決定部は、前記視聴パラメータの最大値に対応する時間的な位置の近傍を、前記コンテンツの再生を開始する時間的な位置として決定する、請求項１１に記載のコンテンツ再生装置。
【請求項１３】
前記視聴パラメータは、前記所定のメタデータを正規化した値および当該正規化した値の時間変化量の少なくとも何れかを利用して算出される、請求項９に記載のコンテンツ再生装置。
【請求項１４】
前記所定のメタデータは、前記コンテンツの視聴率、前記コンテンツの視聴履歴、前記コンテンツに対する視聴者のフィードバック情報、および、前記視聴者の嗜好情報の少なくとも何れかを含む、請求項９に記載のコンテンツ再生装置。
【請求項１５】
前記コンテンツ再生装置は、前記外部に設けられた装置から前記所定のメタデータを取得するメタデータ取得部を更に備え、
前記視聴パラメータ算出部は、前記メタデータ取得部が取得した前記所定のメタデータを利用して、前記視聴パラメータを算出する、請求項９に記載のコンテンツ再生装置。
【請求項１６】
前記コンテンツ再生装置は、表示画面の表示制御を行う表示制御部を更に備え、
前記表示制御部は、再生可能な前記コンテンツの一覧を前記表示画面に表示する際に、当該コンテンツに対応する前記視聴パラメータの大きさに応じて、前記コンテンツの一覧に表示される前記コンテンツのサムネイル画像の表示態様を変化させる、請求項９に記載のコンテンツ再生装置。
【請求項１７】
前記表示制御部は、一の前記サムネイル画像が選択された場合、前記サムネイル画像に対応する前記コンテンツを、前記視聴パラメータに基づいて決定された前記時間的な位置から再生するか否かの選択を促すメッセージを、前記表示画面に表示する、請求項１６に記載のコンテンツ再生装置。
【請求項１８】
コンテンツデータに関連付けられた所定のメタデータを利用して、コンテンツの時間的な位置ごとに当該コンテンツの視聴状況を表した指標である視聴パラメータを算出するステップと、
前記視聴パラメータを算出するステップにて算出された前記視聴パラメータに基づいて、前記コンテンツの再生を開始する時間的な位置を決定するステップと、
前記再生を開始する時間的な位置を決定するステップにて決定された前記時間的な位置に対応する部分から、前記コンテンツデータを外部に設けられた装置に配信するステップと、
を含む、コンテンツ提供方法。
【請求項１９】
所定のメタデータが関連付けられたコンテンツデータを取得するステップと、
前記所定のメタデータを利用して、コンテンツの時間的な位置ごとに当該コンテンツの視聴状況を表した指標である視聴パラメータを算出するステップと、
前記視聴パラメータを算出するステップにて算出された前記視聴パラメータに基づいて、前記コンテンツの再生を開始する時間的な位置を決定するステップと、
前記再生を開始する時間的な位置を決定するステップにて決定された前記時間的な位置から、前記コンテンツデータを取得するステップにて取得された前記コンテンツデータの再生を開始するステップと、
を含む、コンテンツ再生方法。
【請求項２０】
コンピュータに、
コンテンツデータに関連付けられた所定のメタデータを利用して、コンテンツの時間的な位置ごとに当該コンテンツの視聴状況を表した指標である視聴パラメータを算出する視聴パラメータ算出機能と、
前記視聴パラメータ算出機能により算出された前記視聴パラメータに基づいて、前記コンテンツの再生を開始する時間的な位置を決定する再生位置決定機能と、
前記再生位置決定機能が決定した前記時間的な位置に対応する部分から、前記コンテンツデータを外部に設けられた装置に配信するコンテンツデータ配信機能と、
を実現させるためのプログラム。